(57)【要約】【課題】 精密セラミックにより成型した携帯電話用ケースを提供する。【解決手段】  ケース本体を精密セラミック材料により一体成型し、該ケース本体上に嵌合部を設置し、携帯電話本体上に嵌合させる。ケース本体の内側には、一層の樹脂膜を接着して該ケースの強度を向上させ、すなわち該ケース本体の耐外部圧能力を増強し、ケース本体が外力を受けると破損し易いという欠点を改善し、実用性を増進させることができる。【選択図】  図  １
0003124914.tif 000002
【実用新案登録請求の範囲】
【請求項１】
ケース本体を精密セラミック材料により一体成型し、かつこのケース本体に嵌合部を設けて携帯電話本体上に嵌合することを特徴とする携帯電話用ケース。
【請求項２】
前記ケース本体の内側には、一層の樹脂膜を接着することを特徴とする請求項１記載の携帯電話用ケース。
【請求項３】
前記ケース本体は、携帯電話本体のケース全体を構成することを特徴とする請求項１記載の携帯電話用ケース。
【請求項４】
前記ケース本体は、携帯電話本体のケースの一部を構成することを特徴とする請求項１記載の携帯電話用ケース。
【請求項５】
前記嵌合部は、嵌合孔であることを特徴とする請求項１記載の携帯電話用ケース。
【請求項６】
前記嵌合部は、フックであることを特徴とする請求項１記載の携帯電話用ケース。
【考案の詳細な説明】
【技術分野】
【０００１】
本考案は、携帯電話用ケースに係り、特に精密セラミック材料により一体成型した携帯電話用ケースに関する。
【背景技術】
【０００２】
無線通信は、高い利便性と機動性を備えるため、現在では多くの使用者にとって携帯電話は生活必需品となっており、ほぼ一人に一台を持つ状態にまで普及している。一方、携帯電話は機能的には日進月歩の進歩を見せ、外観やデザインは流行を追い消費者へのアピールを図っている。
【０００３】
現在の携帯電話のケースは、プラスチックによりケースパネルを製造し、または金属により製造するものもあり、各種形状と色彩を備えた携帯電話が存在する。プラスチックにより製造された携帯電話ケースは、材料の硬度が十分でないため、使用によりケース体の表面に傷がつき易く、長期間の使用後は汚れが目立つようになる。同様に、金属材料により製造された携帯電話ケースは、外層が焼付け塗装であるため、使用時に不注意でぶつければ塗装が剥がれ外見上の美観は低下してしまう。
【考案の開示】
【考案が解決しようとする課題】
【０００４】
従来の携帯電話用ケースの構造には、以下の欠点があった。
【０００５】
すなわち、従来の携帯電話のケースはプラスチックまたは金属製であるが、プラスチック製の携帯電話ケースでは材料の硬度が十分でないため、ケース表面に傷がつき易く、長期間の使用後は汚れが目立つようになる。同様に、金属製の携帯電話ケースでは外層が焼付け塗装であるため、衝突などにより塗装が剥がれ易い。
【０００６】
本考案はこれらの事情に鑑みてなされたものであり、上記従来のケースの構造の問題点を解決した携帯電話用ケースを提供することを目的とする。
【課題を解決するための手段】
【０００７】
上記課題を解決するため、本考案の一態様による携帯電話用ケースは、ケース本体を精密セラミック材料により一体成型し、該ケース本体上に嵌合部を設置して携帯電話の本体に対応して嵌合させ、またケース本体の内側に一層の樹脂膜を接着し、該ケース本体の強度を向上させる。
【０００８】
この構成により、前記ケース本体の耐外部圧能力を増強し、外力を受け破損し易いという欠点を改善し、実用性を増進することができ、またその携帯電話用ケース上に設けた嵌合部は嵌合孔、フック等であるが、本考案はこれに限定されるものではない。
【考案の効果】
【０００９】
上記のように、本考案の携帯電話用ケースは、セラミック材料により成型されるため、退色せず、摩損しにくい等の長所を有する。また、精密セラミックにより成型するケースは表面が滑らかであるため、汚れが付着しにくく、長く使用しても新しい外観を保持することができる。さらに、精密セラミックにより成型するケースは、各種の色を塗布することが可能なため、使用者は自身の好みの色を選択することができ、消費者のニーズに符合する。携帯電話用ケース全体を構成し、或いは携帯電話用ケースの一部を構成して、裝飾パネルを形成することができる。
【考案を実施するための最良の形態】
【００１０】
以下、図面を参照して本考案の実施例を説明する。
【実施例】
【００１１】
図１、２、３に示すように、本考案の実施例における携帯電話用ケース本体10は、精密セラミック材料により一体成型されている。このケース本体10上には、嵌合部11を設置し、携帯電話本体20上に対応して嵌合されるようになっている。また、前記ケース本体10の内側には、一層の樹脂膜12を接着してあり、該ケース本体10の強度を向上させ、すなわち該ケース体10の耐外部圧能力を増強している。これにより、前記ケース本体10の外力を受けると破損し易いという欠点を改善し、実用性を増進することができる。
【００１２】
本考案の実施例における携帯電話用ケースは、該携帯電話のケース体全体或いは該携帯電話を構成するケース体の一部を指すが、本考案はさらにこれに限定するものではない。
【００１３】
本考案の実施例における携帯電話用ケース本体10上に形成する嵌合部11は、嵌合孔、フック等であるが、本実施例は該嵌合部11の形状と構造を限定するものではない。
【００１４】
本考案の実施例における携帯電話用ケース本体10は、酸化ジルコニウム等の精密セラミック材料により成型されるが、本考案は採用するセラミック成型の原料を限定するものではない。
【００１５】
本考案の携帯電話用ケースは、セラミック材料により一体成型され、携帯電話の外部露出面を構成するため、硬度が高く傷つきにくく、しかも退色しないという特性を備え、携帯電話の光沢と輝きを有する外観を保持することができる。こうして携帯電話は、より多くの色彩変化を表現可能となる。また本実施例のケース本体10の内側には、さらに一層の樹脂膜12を接着するため、該ケース本体10が受ける応力は該ケース本体10の各位置に平均に分散し、該ケース本体は応用上さらに堅固となり、衝撃を受けても簡単に壊れることはなくなる。すなわち、該ケース本体10はこれにより一層その実用価値を増進することができる。
【００１６】
本考案の携帯電話用ケースは以下の構造的特徴と長所とを備えている。
【００１７】
すなわち、ケース本体はセラミック材料により成型するため、退色せず、摩損しにくい等の長所があり、精密セラミックにより成型するケース本体10は表面が滑らかであるため、汚れが付着しにくく、長く使用しても新しい外観を保持することができる。また精密セラミックにより成型するケース本体10は、各種色に製造可能なため、使用者は自身の好みの色を選択することができ、消費者のニーズに符合する。さらに、携帯電話用ケース全体を構成し、或いは携帯電話用ケースの一部を構成し、携帯電話を装飾する一部とすることもできる。
【図面の簡単な説明】
【００１８】
【図１】本考案一実施例のケースと携帯電話本体とを示す分解斜視図である。
【図２】図１の組立て後の状態を示す斜視図である。
【図３】図２の3-3線における断面図である。
【図４】本実施例のケース内側に樹脂膜を接着する様子を示す説明図である。
【符号の説明】
【００１９】
10  ケース本体
11  嵌合部
12  樹脂膜
20  携帯電話の本体
【図１】
0003124914.tif 000003
【図２】
0003124914.tif 000004
【図３】
0003124914.tif 000005
【図４】
0003124914.tif 000006